(57)【要約】  シンクロサイクロトロンが、電極を間に磁界を横切るすき間を持たせつつ備えている共振回路を有している。プログラマブル・デジタル波形生成器によって決定される可変の振幅および周波数を有する振動入力電圧が、前記すき間を横切る振動電界を生成する。このシンクロサイクロトロンは、共振周波数を変化させるため、前記電極を備える回路に可変のキャパシタを備えることができる。さらに、プログラマブル・デジタル波形生成器によって制御される電圧を有する注入電極および抽出電極を備えることができる。さらに、ビーム監視器を備えることができる。このシンクロサイクロトロンは、入力電圧によって駆動される共振回路の電圧および／または電流を測定することによって、共振回路の共振状態を検出することができ、共振状態を維持するために、可変のキャパシタのキャパシタンスまたは入力電圧の周波数を調節することができる。【選択図】図１
2008507826.tif 000002
【特許請求の範囲】
【請求項１】
磁界生成器と、
共振回路とを有し、
前記共振回路に電圧が入力されるシンクロサイクロトロンであって、
前記共振回路が、磁極の間に配置され、間に磁界が横切るすき間を有している電極と、該電極を備える回路内の可変のリアクタンス素子であって、当該共振回路の共振周波数を変化させるためのリアクタンス素子とを有しており、
前記共振回路への入力電圧が、荷電粒子の加速の時間の間に変化する振動電圧であるシンクロサイクロトロン。
【請求項２】
請求項１において、前記入力電圧の振幅が変化させられるシンクロサイクロトロン。
【請求項３】
請求項１において、前記入力電圧の周波数が変化させられるシンクロサイクロトロン。
【請求項４】
請求項１において、前記入力電圧の振幅および周波数が変化させられるシンクロサイクロトロン。
【請求項５】
請求項４において、当該シンクロサイクロトロンに荷電粒子を注入するためのイオン源をさらに備えているシンクロサイクロトロン。
【請求項６】
請求項５において、前記磁極の間に配置されて当該シンクロサイクロトロンから粒子ビームを抽出する抽出電極をさらに備えているシンクロサイクロトロン。
【請求項７】
請求項６において、前記共振回路の共振状態を検出するための１つ以上のセンサをさらに備えているシンクロサイクロトロン。
【請求項８】
請求項７において、前記入力電圧の周波数が、共振状態を維持するように調節されるシンクロサイクロトロン。
【請求項９】
請求項８において、共振状態を維持するため、前記可変のリアクタンス素子のリアクタンスを制御して前記共振回路の共振周波数を調節するための手段をさらに備えているシンクロサイクロトロン。
【請求項１０】
請求項９において、粒子ビームを測定するためのビーム監視器をさらに備えており、前記入力電圧、前記イオン源、および前記抽出電極の少なくとも１つが、前記粒子ビームの変化を補償すべく制御されるシンクロサイクロトロン。
【請求項１１】
請求項１０において、前記ビーム監視器が、粒子ビームの強度を測定するシンクロサイクロトロン。
【請求項１２】
請求項１０において、前記ビーム監視器が、粒子ビームのタイミングを測定するシンクロサイクロトロン。
【請求項１３】
請求項１０において、前記ビーム監視器が、粒子ビームの空間分布を測定するシンクロサイクロトロン。
【請求項１４】
請求項１０において、前記振動入力電圧が、プログラマブル・デジタル波形生成器によって生成されるシンクロサイクロトロン。
【請求項１５】
請求項１４において、前記プログラマブル・波形生成器が、前記粒子ビームの変化を補償すべく前記イオン源および前記抽出電極の少なくとも一方を制御するシンクロサイクロトロン。
【請求項１６】
請求項１において、前記共振回路の共振状態を検出するための１つ以上のセンサをさらに備えているシンクロサイクロトロン。
【請求項１７】
請求項１において、粒子ビームの変化を検出するためのビーム監視器をさらに備えているシンクロサイクロトロン。
【請求項１８】
請求項１において、前記入力電圧の周波数が、共振状態を維持すべく調節されるシンクロサイクロトロン。
【請求項１９】
請求項１において、イオン源および抽出電極をさらに備えており、該イオン源および該抽出電極の少なくとも一方が、粒子ビームの変化を補償すべく制御されるシンクロサイクロトロン。
【請求項２０】
磁界生成器と、
共振回路と、
前記共振回路に電圧が入力されるシンクロサイクロトロンであって、
前記共振回路が、磁極の間に配置され、間に磁界が横切るすき間を有している電極と、
該電極を備える回路内の可変のリアクタンス素子であって、当該共振回路の共振周波数を変化させるためのリアクタンス素子とを有しており、
前記共振回路への入力電圧が、プログラマブル・デジタル波形生成器によって荷電粒子の加速の時間の間に変化させられる振動電圧であるシンクロサイクロトロン。
【請求項２１】
請求項２０において、前記入力電圧の振幅が変化させられるシンクロサイクロトロン。
【請求項２２】
請求項２０において、前記入力電圧の周波数が変化させられるシンクロサイクロトロン。
【請求項２３】
請求項２０において、前記入力電圧の振幅および周波数が変化させられるシンクロサイクロトロン。
【請求項２４】
請求項２３において、前記プログラマブル・デジタル波形生成器からの信号によって制御されて、当該シンクロサイクロトロンから荷電粒子を注入するイオン源をさらに備えているシンクロサイクロトロン。
【請求項２５】
請求項２４において、前記磁極の間に配置され、前記プログラマブル・デジタル波形生成器からの信号によって制御されて、当該シンクロサイクロトロンから粒子ビームを抽出する抽出電極をさらに備えているシンクロサイクロトロン。
【請求項２６】
請求項２５において、前記共振回路の共振状態を検出するための１つ以上のセンサをさらに備えているシンクロサイクロトロン。
【請求項２７】
請求項２６において、前記プログラマブル・デジタル波形生成器が、共振状態を維持するように前記入力電圧の周波数を調節しているシンクロサイクロトロン。
【請求項２８】
請求項２７において、共振状態を維持するため、前記可変のリアクタンス素子のリアクタンスを制御して、前記共振回路の共振周波数を調節するための手段をさらに備えているシンクロサイクロトロン。
【請求項２９】
請求項２８において、粒子ビームを測定するためのビーム監視器をさらに備えており、前記プログラマブル・デジタル波形生成器が、前記入力電圧、前記イオン源、および前記抽出電極のうちの少なくとも１つを、前記粒子ビームの変化を補償すべく制御するシンクロサイクロトロン。
【請求項３０】
請求項２９において、前記ビーム監視器が、粒子ビームの強度を測定するシンクロサイクロトロン。
【請求項３１】
請求項２９において、前記ビーム監視器が、粒子ビームのタイミングを測定するシンクロサイクロトロン。
【請求項３２】
請求項２９において、前記ビーム監視器が、粒子ビームの空間分布を測定するシンクロサイクロトロン。
【請求項３３】
請求項２０において、前記共振回路の共振状態を検出するための１つ以上のセンサをさらに備えているシンクロサイクロトロン。
【請求項３４】
請求項２０において、粒子ビームの変化を検出するためのビーム監視器をさらに備えているシンクロサイクロトロン。
【請求項３５】
請求項２０において、前記入力電圧の周波数が、共振状態を維持すべく調節されるシンクロサイクロトロン。
【請求項３６】
請求項２０において、イオン源および抽出電極をさらに備えており、該イオン源および該抽出電極の少なくとも一方が、前記プログラマブル・波形生成器によって粒子ビームの変化を補償すべく制御されるシンクロサイクロトロン。
【請求項３７】
シンクロサイクロトロンにおいて粒子ビームを生成する方法であって、
イオン源によってシンクロサイクロトロンへと荷電粒子を注入するステップと、
間に磁界が横切るすき間を持っている加速電極を備えている共振回路に、振動入力電圧を印加し、前記すき間を横切る振動電界を生成して、前記荷電粒子を加速させるステップであって、前記振動電圧が前記荷電粒子の加速の時間の間に変化するように制御されているステップと、
前記加速させた荷電粒子を抽出電極によって抽出して粒子ビームを形成するステップと、
を含んでいる方法。
【請求項３８】
請求項３７において、前記振動入力電圧の振幅が変化させられる方法。
【請求項３９】
請求項３７において、前記振動入力電圧の周波数が変化させられる方法。
【請求項４０】
請求項３７において、前記入力電圧の振幅および周波数が変化させられる方法。
【請求項４１】
請求項４０において、前記共振回路の共振状態を検出するステップをさらに含んでいる方法。
【請求項４２】
請求項４１において、前記入力電圧の周波数が、共振状態を維持するように調節される方法。
【請求項４３】
請求項４２において、前記共振回路の共振状態を維持するため、前記振動入力電圧および前記加速電極を備える回路の可変のリアクタンス素子のリアクタンスを調節するステップをさらに含んでいる方法。
【請求項４４】
請求項４３において、粒子ビームの強度をビーム監視器によって測定するステップと、
前記振動入力電圧、前記イオン源、および前記抽出電極のうちの少なくとも１つを制御して前記粒子ビームの変化を補償するステップと、
をさらに含んでいる方法。
【請求項４５】
請求項４４において、前記ビーム監視器が、粒子ビームの強度を測定する方法。
【請求項４６】
請求項４４において、前記ビーム監視器が、粒子ビームのタイミングを測定する方法。
【請求項４７】
請求項４４において、前記ビーム監視器が、粒子ビームの空間分布を測定する方法。
【請求項４８】
請求項４４において、前記振動入力電圧が、プログラマブル・デジタル波形生成器によって生成される方法。
【請求項４９】
請求項４８において、前記プログラマブル・波形生成器が、前記粒子ビームの変化を補償すべく前記イオン源および前記抽出電極の少なくとも一方を制御する方法。
【請求項５０】
請求項３７において、前記共振回路の共振状態を検出するステップをさらに含んでいる方法。
【請求項５１】
請求項３７において、粒子ビームの変化を検出するステップをさらに含んでいる方法。
【請求項５２】
請求項３７において、前記入力電圧の周波数を調節して共振状態を維持するステップをさらに含んでいる方法。
【請求項５３】
請求項３７において、前記イオン源および前記抽出電極の少なくとも一方を制御して粒子ビームの変化を補償するステップをさらに含んでいる方法。
【請求項５４】
シンクロサイクロトロンにおいて粒子ビームを生成する方法であって、
イオン源によってシンクロサイクロトロンへと荷電粒子を注入するステップと、
間に磁界が横切るすき間を持つように加速電極を備えている共振回路に、振動入力電圧を印加し、前記すき間を横切る振動電界を駆動して、前記荷電粒子を加速させるステップであって、前記入力電圧がプログラマブル・デジタル波形生成器によって決定される可変の振幅および周波数を有しているステップと、
前記加速させた荷電粒子を抽出電極によって抽出して粒子ビームを形成するステップと、
を含んでいる方法。
【請求項５５】
請求項５４において、前記振動入力電圧の振幅が変化させられる方法。
【請求項５６】
請求項５４において、前記振動入力電圧の周波数が変化させられる方法。
【請求項５７】
請求項５４において、前記入力電圧の振幅および周波数が変化させられる方法。
【請求項５８】
請求項５７において、前記振動電圧および／または前記回路の電流を測定して、前記共振回路の共振状態を検出するステップをさらに含んでいる方法。
【請求項５９】
請求項５８において、前記入力電圧の周波数が、共振状態を維持するように調節される方法。
【請求項６０】
請求項５９において、前記共振回路の共振状態を維持するため、前記振動入力電圧および前記加速電極を備える回路の可変のリアクタンス素子のリアクタンスを調節するステップをさらに含んでいる方法。
【請求項６１】
請求項６０において、
粒子ビームをビーム監視器によって測定するステップと、
前記入力電圧、前記注入電極、および前記抽出電極のうちの少なくとも１つを前記デジタル波形生成器によって制御して前記粒子ビームの変化を補償するステップと、
をさらに含んでいる方法。
【請求項６２】
請求項６１において、前記ビーム監視器が、粒子ビームの強度を測定する方法。
【請求項６３】
請求項６１において、前記ビーム監視器が、粒子ビームのタイミングを測定する方法。
【請求項６４】
請求項６１において、前記ビーム監視器が、粒子ビームの空間分布を測定する方法。
【請求項６５】
請求項５４において、前記共振回路の共振状態を検出するステップをさらに含んでいる方法。
【請求項６６】
請求項５４において、粒子ビームの変化を検出するステップをさらに含んでいる方法。
【請求項６７】
請求項５４において、前記デジタル波形生成器によって生成される前記入力電圧の周波数を調節して共振状態を維持するステップをさらに含んでいる方法。
【請求項６８】
請求項５４において、前記デジタル波形生成器によって前記イオン源および前記抽出電極の少なくとも一方を制御して粒子ビームの変化を補償するステップをさらに含んでいる方法。
【請求項６９】
当該シンクロサイクロトロンに荷電粒子を注入するための注入手段と、
振動電界によって荷電粒子を加速させるための加速手段であって、該振動電界が荷電粒子の加速の時間の間に変化する加速手段と、
加速させた荷電粒子を抽出して粒子ビームを形成するための抽出手段と、
を有しているシンクロサイクロトロン。
【請求項７０】
請求項６９において、
前記加速手段が、振動入力電圧を有する共振回路をさらに備えており、
該振動入力電圧が、間に磁界を横切るすき間を有している加速電極へと印加され、該すき間を横切る振動電界を駆動するシンクロサイクロトロン。
【請求項７１】
請求項７０において、荷電粒子の加速の時間の間に前記振動入力電圧を変化させるための電圧制御手段をさらに備えているシンクロサイクロトロン。
【請求項７２】
請求項７１において、粒子ビームを監視するための監視手段をさらに備えているシンクロサイクロトロン。
【請求項７３】
請求項７２において、前記共振回路の共振周波数を変化させるため、共振周波数制御手段を前記振動入力電圧および前記加速電極を備える回路にさらに備えているシンクロサイクロトロン。
【請求項７４】
請求項７３において、前記共振回路の共振状態を検出するための共振検出手段をさらに備えているシンクロサイクロトロン。
【発明の詳細な説明】
【関連出願】
【０００１】
この出願は、２００４年７月２１日付の米国特許仮出願第60/590,089号の利益を主張する。上記出願の全ての説明は、ここでの言及によって本明細書に組み込まれたものとする。
【背景技術】
【０００２】
１９３０年代以降、荷電粒子を高いエネルギーへと加速するために、多数の種類の粒子加速器が開発されてきている。粒子加速器の種類の１つは、サイクロトロンである。サイクロトロンは、真空チャンバ内の1つ以上の「ディー（Ｄ）」へ交流電圧を加えることによって、軸方向の磁界内の荷電粒子を加速する。「ディー」という呼び名は、初期のサイクロトロンの電極形状を描写したものであり、いくつかのサイクロトロンにおいては文字「Ｄ」に似ていないかもしれない。粒子を加速することによって生み出される螺旋状の経路は、磁界に対して直角である。粒子が螺旋状に飛び出すとき、加速電界がディー間のすき間へと加えられる。高周波（ＲＦ）電圧が、ディー間のすき間を横切って交流電界を生じさせる。高周波電圧、すなわち高周波電界は、粒子がすき間を繰り返し横切るときに高周波波形によって加速されるよう、磁界内の荷電粒子の周回運動の周期に同期させられる。粒子のエネルギーが、印加された高周波（ＲＦ）電圧のピーク電圧をはるかに超えるエネルギー・レベルへと高められる。荷電粒子が加速されるにつれ、それらの質量が、相対論的効果によって大きくなる。結果として、粒子の加速が不均一になり、粒子が、印加電圧のピークと同期せずにすき間へと到着する。
【０００３】
現在使用されている２種類のサイクロトロン、すなわちアイソクロナス・サイクロトロンおよびシンクロサイクロトロンが、加速された粒子の相対論的質量の増加という課題を、別々のやり方で克服している。アイソクロナス・サイクロトロンは、適切な加速を維持すべく半径とともに増加する磁界において電圧の周波数を維持するために、半径の増加とともに磁界を増加させる一定周波数電圧を用いている。シンクロサイクロトロンは、半径が増すにつれて減少する磁界を使用し、荷電粒子の相対論的速度によって引き起こされる質量の増加に釣り合うよう、加速電圧の周波数を変化させる。
【０００４】
シンクロサイクロトロンにおいては、荷電粒子の不連続な「群（ｂｕｎｃｈｅｓ）」が最終的なエネルギーへと加速され、その後にサイクルが再び開始される。アイソクロナス・シンクロトロンにおいては、荷電粒子を、群にてではなく、連続的に加速させることができ、より高いビーム出力を達成できる。
【０００５】
例えば陽子を２５０ＭｅＶのエネルギーまで加速させることができるシンクロサイクロトロンにおいて、陽子の最終的な速度は０．６１ｃ（ここで、ｃは光速）であり、質量の増加は、静止質量を超えること２７％である。これに対応する量だけ周波数を減少させなければならず、さらに半径方向に減少する磁界の強度を補うべく周波数を減少させなければならない。周波数の時間に対する依存性が線形でなくなり、この依存性を説明する関数の最適な形状は、多数の細目に依存することになる。
【発明の開示】
【発明が解決しようとする課題】
【０００６】
所望の最終エネルギーによって要求される範囲にわたる周波数の正確かつ再現性のある制御であって、相対論的な質量増加およびディーの中心からの距離に対する磁界の依存性の両者を補正する制御は、従来からの課題である。さらに、加速電圧の振幅を、合焦の維持およびビームの安定の向上のために、加速サイクルの間に変化させる必要があるかもしれない。さらに、ディーおよびサイクロトロンを構成している他のハードウェアが共振回路を構成しており、そこではディーを、キャパシタの電極とみなすことができるかもしれない。この共振回路がＱ係数によって説明され、すき間を横切る電圧の形状に寄与する。
【課題を解決するための手段】
【０００７】
陽子などの荷電粒子を加速するためのシンクロサイクロトロンは、磁界生成器と、磁極間に配置された電極を有する共振回路とを有することができる。電極間のすき間を、磁界を横切って配置することができる。振動入力電圧が、すき間を横切る振動電界を駆動する。振動入力電圧を、荷電粒子の加速の時間の間に変化するように制御することができる。振動入力電圧の振幅および周波数のいずれかまたは両者を、変化させることができる。振動入力電圧は、プログラマブル・（ｐｒｏｇｒａｍｍａｂｌｅ）デジタル波形生成器によって生成することができる。
【０００８】
さらに共振回路が、当該共振回路の共振周波数を変化させるため、前記入力電圧および電極を備える回路に可変のリアクタンス素子を備えることができる。この可変のリアクタンス素子は、回転コンデンサまたは振動リードなどといった可変のキャパシタンス素子であってよい。そのようなリアクタンス素子のリアクタンスを変化させて共振回路の共振周波数を調節することで、シンクロサイクロトロンの動作周波数の範囲にわたって共振状態を維持することができる。
【０００９】
さらに、このシンクロサイクロトロンは、すき間を横切る振動電界を測定するための電圧センサを備えることができる。すき間を横切る振動電界を測定して、振動入力電圧と比較することによって、共振回路の共振状態を検出することができる。プログラマブル・波形生成器が、共振状態を維持するように電圧および周波数の入力を調節することができる。
【００１０】
さらにシンクロサイクロトロンは、プログラマブル・デジタル波形生成器によって制御される電圧下にあり、磁極間に配置されている注入電極を備えることができる。注入電極は、荷電粒子をシンクロサイクロトロンへと注入するために使用される。さらにシンクロサイクロトロンは、プログラマブル・デジタル波形生成器によって制御される電圧下にあり、磁極間に配置されている抽出電極を備えることができる。抽出電極は、シンクロサイクロトロンから粒子ビームを抽出するために使用される。
【００１１】
さらにシンクロサイクロトロンは、粒子ビームの特性を測定するためのビーム監視器を備えることができる。例えば、ビーム監視器は、粒子ビームの強度、粒子ビームのタイミング、または粒子ビームの空間分布を測定することができる。プログラマブル・波形生成器が、粒子ビームの特性の変化を補償するために、入力電圧、注入電極の電圧、および抽出電極の電圧のうちの少なくとも１つを調節することができる。
【００１２】
本発明は、効果的な荷電粒子の加速器への注入、加速器による加速、および加速器からの抽出のため、適切な可変の周波数および振幅変調信号を生成するという課題に対処しようとするものである。
【００１３】
本発明の上記目的、特徴、および利点、ならびに他の目的、特徴、および利点が、添付の図面に示された本発明の好ましい実施形態についての以下のさらに詳しい説明から、明らかになるであろう。添付の図面においては、種々の図面のすべてを通して、同様の参照符号は同じ部分を指し示している。図面は必ずしも比例尺ではなく、本発明の原理を示すことに重点がおかれている。
【発明を実施するための最良の形態】
【００１４】
本発明は、シンクロサイクロトロンの「ディー」すき間を横切って複雑かつ精密に時間合わせされた加速電圧を生成するための装置および方法に関する。本発明は、特定の波形を生成することによって「ディー」すき間を横切る電圧を駆動するための装置および方法を含んでおり、そこでは振幅、周波数、および位相が、個々の加速器の物理的構成、磁界の形状、および先験的に知られていても、先験的に知られていなくてもよい他の変数に鑑みて、最も効果的な粒子の加速を生み出すための要領で制御される。シンクロサイクロトロンは、粒子ビームの合焦を維持するために減少する磁界を必要とし、したがって周波数掃引を所望の形状に変更する必要がある。また、加速される粒子の群が連続的な加速をもたらす電界にさらされるディー上の有効点に、供給される電気信号の予測可能な有限の伝播遅延が存在する。また、ディーすき間を横切って電圧を駆動する高周波（ＲＦ）信号を増幅するために使用される増幅器が、周波数とともに変化する位相シフトを有する可能性もある。そのような影響のいくつかは、先験的には知ることができず、シンクロサイクロトロン全体が組み上げられた後でなければ観察できないかも知れない。さらには、ナノ秒の時間単位で粒子の投入および抽出を時間合わせすることで、加速器の抽出効率を高めることができ、動作の加速および抽出段階において失われる粒子に起因する迷放射線を少なくすることができる。
【００１５】
図１Ａおよび１Ｂを参照すると、本発明のシンクロサイクロトロンは、電気コイル２ａおよび２ｂを、離間して配置されて磁界を生成するように構成された２つの金属磁極４ａおよび４ｂの周囲に有する磁界生成器を有している。磁極４ａおよび４ｂは、ヨーク６ａおよび６ｂの対向する２つの部位（断面に示されている）によって定められている。磁極４ａおよび４ｂの間の空間が、真空チャンバ８を形成し、あるいは別個の真空チャンバを磁極４ａおよび４ｂの間に設置することができる。磁界の強度は、おおむね真空チャンバ８の中心からの距離の関数であり、おおまかにはコイル２ａおよび２ｂの幾何形状ならびに磁極４ａおよび４ｂの形状および材料の選択によって決定される。
【００１６】
加速電極は、「ディー」１０および「ディー」１２からなり、両者の間にすき間１３を有している。ディー１０が、荷電粒子の相対論的質量の増加、ならびにコイル２ａおよび２ｂならびに磁極部分４ａおよび４ｂによって生成され半径方向に減少する磁界（真空チャンバの中心から測定）を補償するため、加速サイクルにおいて高い周波数から低い周波数へと変化する交流電位に接続される。ディー１０および１２の交流電圧の特徴形状が図２に示されており、以下で詳しく検討される。ディー１０は、内側が空洞である半割り円柱の構造である。ディー１２は、「ダミー・ディー」とも称されるが、真空チャンバ壁面１４において接地されるため、中空円柱構造である必要はない。図１Ａおよび１Ｂに示されているように、ディー１２は、例えば銅である金属の帯からなり、実質的に同様であるディー１０のスロットに一致するように形作られたスロットを有している。ディー１２を、ディー１０の表面１６の鏡像を形成するように形作ることができる。
【００１７】
イオン源電極２０を真空チャンバ８の中心に位置させて備えているイオン源１８が、荷電粒子を注入するために設けられている。抽出電極２２が、荷電粒子を抽出チャネル２４へと案内して荷電粒子のビーム２６を形成すべく設けられている。イオン源を外部に取り付け、加速領域へと実質的に軸方向にイオンを注入してもよい。
【００１８】
ディー１０および１２ならびにサイクロトロンを構成する他のハードウェア部品が、すき間１３を横切って振動電界を生成する振動入力電圧のもとで、調節可能な共振回路を定めている。この共振回路を、調節手段を使用することによって、周波数掃引の際にＱ係数を高く保つべく調節することができる。
【００１９】
本明細書において使用されるとき、Ｑ係数とは、共振周波数付近の周波数に対する応答における共振系の「品質」の指標である。Ｑ係数は、
Ｑ＝１／Ｒ×√（Ｌ／Ｃ）
として定められ、ここでＲは、共振回路の能動（ａｃｔｉｖｅ）抵抗であり、Ｌはインダクタンスであり、Ｃはこの回路のキャパシタンスである。
【００２０】
調節手段は、可変のインダクタンス・コイルであってよく、あるいは可変のキャパシタンスであってよい。可変キャパシタンス装置は、振動リードまたは回転コンデンサであってよい。図１Ａおよび１Ｂに示した例では、調節手段が回転コンデンサ２８である。回転コンデンサ２８は、モータ３１によって駆動される回転羽根３０を有している。モータ３１の各４分の１サイクルにおいて、羽根３０が羽根３２と噛み合うため、「ディー」１０および１２ならびに回転コンデンサ２８を含む共振回路のキャパシタンスが大きくなり、共振周波数が低下する。このプロセスは、羽根が噛み合わせから外れるときは逆になる。このようにして、共振回路のキャパシタンスを変化させることによって、共振周波数を変えることができる。これが、「ディー」へと印加されビームを加速させるために必要である高電圧を生成するために必要とされる電力を、大きな要因として減少させる目的にかなっている。羽根３０および３２の形状を、共振周波数に必要とされる時間依存性をもたらすように機械加工することができる。
【００２１】
羽根の回転を、高周波空洞のＱ係数を変化させることによって、サイクロトロンによって定められる共振回路の共振周波数を「ディー」１０および１２へと加えられる交流電位の周波数の付近に保てる様に、高周波周波数の生成に同期させることができる。
【００２２】
羽根の回転を、図３および図４を参照して以下で説明するデジタル波形生成器によって、共振回路の共振周波数をデジタル波形生成器によって生成される電流周波数の付近に維持する要領で、制御することができる。あるいは、デジタル波形生成器を、最適な共振条件を維持するように波形生成器のクロック周波数を制御すべく、回転コンデンサの軸３３上の角度位置センサ（図示されていない）によって制御してもよい。この方法は、回転コンデンサにおいて噛み合う羽根の形状が軸の角度位置に正確に関連している場合に、使用可能である。
【００２３】
さらに、ピーク共振状態を検出するセンサ（図示されていない）を、共振周波数への最高の一致を維持すべくデジタル波形生成器のクロックにフィードバックをもたらすために、使用することが可能である。共振状態を検出するためのセンサは、共振回路における振動電圧および電流を測定することができる。他の例においては、センサが容量センサであってよい。この方法は、回転コンデンサの噛み合う羽根の形状と軸の角度位置との間の関係の小さな不整に対応することができる。
【００２４】
真空ポンプ・システム４０が、加速ビームが散乱することがないよう、真空チャンバ８をきわめて低い圧力に維持する。
【００２５】
シンクロサイクロトロンにおいて均一な加速を達成するため、「ディー」のすき間を横切る電界の周波数および振幅を、相対論的質量増加および半径方向（荷電粒子の螺旋状の軌跡の中心からの距離として測定される）における磁界の変化を補償するとともに、粒子ビームの合焦を維持するために、変化させる必要がある。
【００２６】
図２は、シンクロサイクロトロンにおいて荷電粒子を加速させるために必要とされると考えられる波形を、理想化して示している。数サイクル分の波形のみが示されており、必ずしも理想的な周波数および振幅の変調の形状を表しているわけではない。図２は、所与のシンクロサイクロトロンにおいて使用される波形について、時間とともに変化する振幅および周波数の特性を示している。粒子の速度が光の速さのかなりの部分へと近付いて、粒子の相対論的質量が増すにつれ、周波数が高い周波数から低い周波数へと変化する。
【００２７】
本発明は、ナノ秒の時間単位にて高速メモリから必要とされる信号を生成することができる一式の高速デジタル‐アナログ変換器（ＤＡＣ）を使用する。図１Ａを参照すると、ディーすき間１３を横切る電圧を駆動する高周波（ＲＦ）信号、ならびに注入電極２０および抽出電極２２の電圧を駆動する信号の両者を、ＤＡＣによってメモリから生成することができる。加速器信号は、可変の周波数および振幅の波形である。注入器および抽出器信号は、少なくとも３つの種類のうちのいずれかであってよい。すなわち、連続的な信号、加速器波形と同期して加速器波形の1つ以上の周期にわたって動作できるパルスなどの不連続な信号、または加速器波形と同期して加速器波形周波数掃引の際に正確に時間合わせされた場面において動作できるパルスなどの不連続な信号、のうちのいずれかであってよい（図８Ａ〜Ｃに関連して後述）。
【００２８】
図３Ａおよび図３Ｂは、粒子加速器３０２、波形生成システム３１９、および増幅システム３３０を備える本発明のシンクロサイクロトロン３００のブロック図を示している。さらに図３Ａは、最適化器３５０を備える適応フィードバック・システムを示している。随意による可変コンデンサ２８およびモータ３１への駆動サブシステムは、示されていない。
【００２９】
図３Ｂを参照すると、粒子加速器３０２は、図１Ａおよび１Ｂに示した粒子加速器と実質的に同様であり、「ダミー・ディー」（接地されたディー）３０４、「ディー」３０６およびヨーク３０８、イオン源３１２へと接続された注入電極３１０、ならびに抽出電極３１４を備えている。ビーム監視器３１６が、ビーム３１８の強度を監視する。
【００３０】
シンクロサイクロトロン３００は、プログラマブル・デジタル波形生成器３１９を備えている。デジタル波形生成器３１９は、メモリ３２２に保存された波形のデジタル表現（ｒｅｐｒｅｓｅｎｔａｔｉｏｎｓ）をアナログ信号に変換する1つ以上のデジタル‐アナログ変換器（ＤＡＣ）３２０を有している。コントローラ３２４が、あらゆる時点において、適切なデータを出力するようメモリ３２２のアドレス指定を制御するとともに、当該データが適用されるＤＡＣ３２０を制御する。さらにコントローラ３２４は、メモリ３２２へとデータを書き込む。インターフェイス３２６が、外部のコンピュータ（図示されていない）へのデータ・リンクを提供する。インターフェイス３２６は、光ファイバー・インターフェイスであってよい。
【００３１】
「アナログ‐デジタル」変換プロセスのタイミングを制御するクロック信号を、デジタル波形生成器への入力として利用可能にできる。この信号を、生成される周波数を微細に調節するために、回転コンデンサ（図１Ａおよび１Ｂ）の軸位置エンコーダ（図示されていない）または共振状態検出器と組み合わせて使用することができる。
【００３２】
図３Ａには、３つのＤＡＣ３２０ａ、３２０ｂ、および３２０ｃが示されている。この例では、ＤＡＣ３２０ａおよび３２０ｂからの信号が、それぞれ増幅器３２８ａおよび３２８ｂによって増幅される。ＤＡＣ３２０ａからの増幅済み信号が、イオン源３１２および／または注入電極３１０を駆動する一方で、ＤＡＣ３２０ｂからの増幅済み信号が、抽出電極３１４を駆動する。
【００３３】
ＤＡＣ３２０ｃによって生成された信号は、高周波増幅器制御システム３３２の制御のもとで動作する増幅システム３３０へと渡される。増幅システム３３０において、ＤＡＣ３２０ｃからの信号が、高周波ドライバ３３４によって高周波スプリッタ３３６へと加えられ、高周波スプリッタ３３６が、高周波電力増幅器３３８によって増幅されるべき高周波信号を送出する。図３Ａに示した例では、４つの電力増幅器３３８ａ、ｂ、ｃ、およびｄが使用されている。所望の増幅の程度に応じて、任意の数の増幅器３３８を使用することができる。増幅された信号が、高周波合成器３４０によって合成され、フィルタ３４２によってフィルタ処理され、高周波が増幅システム３３０へと反射して戻ることがないようにする方向性結合器３４４を通って、増幅システム３３０を出る。増幅システム３３０を動作させるための電力は、電源３４６によって供給される。
【００３４】
ＤＡＣ３２０ｃからの信号は、増幅システム３３０を出た後に、マッチング回路３４８を介して粒子加速器３０２に渡される。マッチング回路３４８は、負荷（粒子加速器３０２）および供給元（増幅システム３３０）のインピーダンスを整合させる。マッチング回路３２８は、一式の可変リアクタンス素子を備えている。
【００３５】
さらに、シンクロサイクロトロン３００は、最適化器３５０を備えることができる。最適化器３５０は、ビーム監視器３１６によるビーム３１８の強度の測定を使用し、プログラマブル・プロセッサの制御のもとで、ＤＡＣ３２０ａ、ｂ、およびｃによって生成される波形およびそれらのタイミングを、シンクロサイクロトロン３００の動作を最適化して荷電粒子の最適な加速を達成するために調節できる。
【００３６】
デジタル波形生成器３１９および適応フィードバック・システム３５０の動作の原理を、以下で図４を参照しつつ説明する。
【００３７】
波形についての初期条件を、磁界中での荷電粒子の運動を支配する物理的原理、荷電粒子の質量の挙動を説明する相対論的機構、ならびに真空チャンバにおける半径の関数としての磁界の理論的記述から、計算することができる。これらの計算が、ステップ４０２において実行される。ディーすき間における電圧の理論波形ＲＦ（ω，ｔ）（ここで、ωはディーすき間を横切る電界の周波数であり、ｔは時間である）が、サイクロトロンの物理的原理、荷電粒子の運動の相対論的機構、および磁界の理論的な半径依存性にもとづいて計算される。
【００３８】
シンクロサイクロトロンがこれらの初期条件のもとで動作しているときに、理論からの現実のずれを測定することができ、波形を補正することができる。例えば、図８Ａ〜Ｃに関して後述されるように、加速波形に対するイオン注入器のタイミングを、注入される粒子の被加速粒子群への取り込みを最大にするように、変化させることができる。
【００３９】
高周波配線の物理的な配置構成に存在する伝播遅延を補正するため、加速器波形のタイミングを、後述のように、サイクルごとの考え方にもとづいて調節および最適化することができ、ディーの配置または製造における非対称を、ピーク正電圧を次のピーク負電圧に対して時間において近付けて配置（あるいは、その反対）して、実質的に非対称の正弦波を生成することによって、補正することができる。
【００４０】
一般に、ハードウェアの特性に起因する波形のひずみを、装置に応じて決まる伝達関数Ａを使用して、理論波形ＲＦ（ω，ｔ）をあらかじめひずませることによって補正することができ、陽子が加速サイクルにある加速電極上の特定の点に、所望の波形を出現させることができる。したがって、再び図４を参照すると、ステップ４０４において、実験的に測定される装置の入力電圧に対する応答にもとづいて、伝達関数Ａ（ω，ｔ）が計算される。
【００４１】
ステップ４０５において、式ＲＦ（ω，ｔ）／Ａ（ω，ｔ）に相当する波形が計算され、メモリ３２２に保存される。ステップ４０６において、デジタル波形生成器３１９が、メモリからのＲＦ／Ａ波形を生成する。駆動信号ＲＦ（ω，ｔ）／Ａ（ω，ｔ）が、ステップ４０８において増幅され、増幅済みの信号が、ステップ４１０において装置全体３００へと伝えられ、ステップ４１２においてディーすき間を横切って電圧が生成される。代表的な伝達関数Ａ（ω，ｔ）のさらに詳細な説明は、図６Ａ〜Ｃを参照しつつ後述される。
【００４２】
ビームが所望のエネルギーに達した後、加速器からビームを抽出するため、正確に時間合わせされた電圧を、所望のビーム軌跡を生み出すべく抽出電極または装置へと印加することができ、これがステップ４１４ａにおいてビーム監視器によって測定される。ＲＦ電圧および周波数が、ステップ４１４ｂにおいて電圧センサによって測定される。ビーム強度および高周波の周波数についての情報が、デジタル波形生成器３１９へと戻され、今やデジタル波形生成器３１９が、ステップ４０６において信号ＲＦ（ω，ｔ）／Ａ（ω，ｔ）の形状を調節することができる。
【００４３】
プロセスの全体を、ステップ４１６において最適化器３５０によって制御することができる。最適化器３５０は、波形および波形の相対的なタイミングを最適化するように設計された半自動または全自動のアルゴリズムを実行できる。擬似焼きなまし法（ｓｉｍｕｌａｔｅｄ  ａｎｎｅａｌｉｎｇ）は、使用することができる最適化アルゴリズムの種類の一例である。最適化アルゴリズムのためにフィードバックを提供すべく、オンラインの診断器具によって、加速の種々の段階においてビームを調査することができる。最適条件が見出されたとき、最適化された波形を保持しているメモリを固定し、或る期間にわたっての安定動作の継続のためにバックアップすることができる。個々の加速器の特性に合わせて正確な波形を調節できるというこの能力は、動作におけるユニットごとの変動を少なくし、サイクロトロンの製造公差およびサイクロトロンの構築に使用される材料の特性のばらつきを補償できるようにする。
【００４４】
回転コンデンサ（図１Ａおよび１Ｂに示したコンデンサ２８など）の考え方を、共振状態のピークを検出するため、高周波波形の電圧および電流を測定することによって、このデジタル制御の仕組みに統合することができる。共振状態からのずれを、加速サイクルの全体にわたってピーク共振状態を維持すべく保存されている波形の周波数を調節するため、デジタル波形生成器３１９（図３を参照）へとフィードバックすることができる。この方法を使用しつつ、依然として振幅を正確に制御することができる。
【００４５】
随意により、回転コンデンサ２８（図１Ａおよび１Ｂを参照）の構造を、図１Ａおよび１Ｂに示した真空ポンプ４０など、加速器空洞を真空引きするターボ分子真空ポンプと一体化することができる。この一体化は、高度に統合された構造およびコストの削減をもたらすと考えられる。回転羽根３０の速度および角度位置について微細な制御をもたらすため、ターボポンプのモータおよび駆動部に、回転エンコーダなどのフィードバック素子を設けることができ、モータ駆動の制御を、加速波形の適切な同期を保証するため、波形生成器３１９の制御回路と統合することが考えられる。
【００４６】
上述のように、振動入力電圧の波形のタイミングを、装置において生じる伝播遅延を補正すべく調節することができる。図５Ａが、高周波入力点５０４から加速電極５００の加速表面５０２上の点５０６および５０８のそれぞれまでの距離Ｒ１およびＲ２の相違に起因する波の伝播誤差の例を説明している。距離Ｒ１およびＲ２の相違が、信号の伝播遅延を生じさせ、これが点５０６を中心とする螺旋状の経路（図示されていない）に沿って加速する粒子に悪影響を及ぼす。曲線５１０によって表されている入力波形が、距離の増加によって引き起こされる余分な伝播遅延を考慮していない場合、粒子が、加速波形との同期から外れる可能性がある。加速電極５００上の点５０４における入力波形５１０は、粒子が点５０６の中心から外へと加速されるにつれて変化する遅延に直面する。この遅延が、点５０６においては波形５１２を有する入力電圧をもたらすが、点５０８においては異なる時間の波形５１４もたらす。波形５１４は、波形５１２に対して位相のずれを呈しており、これが加速のプロセスに悪影響を及ぼしうる。加速用の構造の物理的な大きさ（約０．６メートル）が、加速周波数の波長（約２メートル）に対して有意な割合であるため、加速用の構造の種々の部分の間で、大きな位相のずれに直面することになる。
【００４７】
図５Ｂにおいては、波形５１６を有する入力電圧が、波形５１０によって説明した入力電圧と同じ大きさを有するが、時間遅延によって反対の符号を有するように、あらかじめ調節されている。結果として、加速電極５００を横切る経路長の相違によって引き起こされる位相の遅延が補正される。結果としての波形５１８および５２０が、今や正確に整列しており、粒子の加速プロセスの効率を向上させている。この例は、容易に予測できる１つの幾何形状の影響によって生じる伝播遅延の単純な場合を説明している。ほかにも波形のタイミングへの影響が、実際の加速器において使用されるさらに複雑な幾何形状によって引き起こされる可能性があるが、それらの影響は、予測または測定が可能であるならば、この例において説明した同じ原理を使用することによって補償が可能である。
【００４８】
上述のように、デジタル波形生成器が、ＲＦ（ω，ｔ）／Ａ（ω，ｔ）の形式の振動入力電圧を生成し、ここでＲＦ（ω，ｔ）がディーすき間を横切る所望の電圧であり、Ａ（ω，ｔ）が伝達関数である。代表的な装置特有の伝達関数Ａが、図６Ａにおいて曲線６００で示されている。曲線６００は、Ｑ係数を周波数の関数として示している。曲線６００は、理想的な伝達関数からの２つの望ましくないずれ、すなわちトラフ６０２および６０４を有している。これらのずれは、共振回路の構成要素の物理的な長さまたはそれら構成要素の望ましくない自己共振特性に起因する影響、あるいはその他の影響によって引き起こされる可能性がある。この伝達関数を測定することができ、入力電圧の補償を計算して、波形生成器のメモリに保存することができる。この補償関数６１０の説明が、図６Ｂに示されている。補償済みの入力電圧６１０が装置３００へと加えられるとき、結果としての電圧６２０は、効率的な加速を与えるように計算された所望の電圧形状に関して一様である。
【００４９】
プログラマブル・波形生成器によって制御できる影響の種類の他の例が、図７に示されている。いくつかのシンクロサイクロトロンにおいては、加速に使用される電界強度を、粒子が螺旋状の経路７０５に沿って外へと加速されるにつれて、いくらか小さくなるように選択することができる。この電界強度の減少は、図７Ａに示されるような比較的一定に保たれる加速電圧７００を加速電極７０２へと加えることによって達成される。電極７０４は、通常は接地電位にある。すき間における電界強度は、印加電圧をすき間の長さで割ったものである。図７Ｂに示すように、加速電極７０２および７０４の間の距離は、半径Ｒとともに増加している。結果として、半径Ｒの関数としての電界強度は、図７Ｃに曲線７０６として示される。
【００５０】
プログラマブル・波形生成器を使用することによって、加速電圧７０８の振幅を、図７Ｄに示すように所望の型で様相することができる。この変調によって、加速電極７１０および７１２の間の距離を、図７Ｅに示すように一定のままに保つことができる。結果として、図７Ｆに示されているが、半径の関数として得られる同じ電界強度７１４が、図７Ｃに示したように生成される。これは、シンクロサイクロトロン・システムの影響についての他の種類の制御の単純な例であり、電極の実際の形状および半径に対する加速電圧の形状は、必ずしもこの単純な例に従わなくてもよい。
【００５１】
上述のように、プログラマブル・波形生成器を、粒子の注入を精密に時間合わせすることによって荷電粒子の最適な加速を達成すべく、イオン注入器（イオン源）を制御するために使用することができる。図８Ａが、プログラマブル・波形生成器によって生成される高周波加速波形を示している。図８Ｂは、精密に時間合わせされたサイクルごとの注入器信号を示しており、この信号によってイオン源を、イオンの小さな群を加速プロセスの受け入れ位相角（ａｃｃｅｐｔａｎｃｅ  ｐｈａｓｅ  ａｎｇｌｅ）に同期すべく精密に制御された間隔で加速器空洞へと注入するため、精密な様相で駆動することができる。粒子の群は、通常はビームの安定のため高周波電界波形に比べて約３０度の遅延角度で加速器を通って移動するため、信号がほぼ正確な整列にて示されている。デジタル‐アナログ変換器の出力など、或る外部の点での信号の実際のタイミングは、２つの信号の伝播遅延が相違する可能性があるため、この正確な関係を有さないかもしれない。プログラマブル・波形生成器においては、注入されるパルスの加速プロセスへの結合を最適化するために、注入パルスのタイミングを高周波波形に対して連続的に変化させることができる。この信号を、ビームをオン／オフするために有効化または無効化することができる。また、必要とされる平均ビーム電流を維持するため、信号をパルス間引き技法（ｐｕｌｓｅ  ｄｒｏｐｐｉｎｇ  ｔｅｃｈｎｉｑｕｅｓ）によって変調することができる。このビーム電流の調節は、１０００個程度の或る比較的多数のパルスを含んでいる巨視的期間を選択し、この期間において有効化されるパルスの割合を変化させることによって達成される。
【００５２】
図８Ｃは、複数回の高周波サイクルに対応するより長い注入制御パルスを示している。このパルスは、陽子の群を加速すべきである場合に生成される。周期的な加速プロセスでは、捕捉され、最終的なエネルギーに達して抽出される粒子は、限られた数でしかない。イオン注入のタイミングを制御することで、ガスの負荷をより少なくし、結果としてより良好な真空状態をもたらすことができ、これは真空ポンプの要件を軽減し、加速サイクルの際の高電圧およびビーム損失特性を改善する。これは、図８Ｂに示した精密な注入タイミングを必要としなくても高周波波形位相角に対するイオン源の受け入れ可能な結合が可能である場合に、使用可能である。この手法は、シンクロサイクロトロンにおける加速プロセスによって受け入れられる「回転」の数にほぼ相当するいくつかの高周波サイクルにおいてイオンを注入する。この信号も、ビームのオン／オフまたは平均ビーム電流の変調のために、有効化または無効化することができる。
【００５３】
本発明を、本発明の好ましい実施形態を参照して詳しく示して説明したが、添付の特許請求の範囲によって包含される本発明の技術的範囲から離れることなく、形態および詳細についてさまざまな変更が可能であることを、当業者であれば理解できるであろう。
【図面の簡単な説明】
【００５４】
【図１Ａ】本発明のシンクロサイクロトロンの平面断面図である。
【図１Ｂ】図１Ａに示したシンクロサイクロトロンの側面断面図である。
【図２】図１Ａおよび１Ｂに示したシンクロサイクロトロンにおいて荷電粒子を加速するために使用できる理想的な波形を示している。
【図３Ａ】波形生成器システムを備える本発明のシンクロサイクロトロンのブロック図を示している。
【図３Ｂ】波形生成器システムを備える本発明のシンクロサイクロトロンのブロック図を示している。
【図４】本発明のデジタル波形生成器および適応フィードバック・システム（最適化器）の動作の原理を説明するフロー図である。
【図５Ａ】加速電極（「ディー」）構造内の異なる経路を通過する信号の有限の伝播遅延の影響を示す図である。
【図５Ｂ】「ディー」構造にわたる伝播遅延のばらつきを補正すべくタイミングが調節された入力波形を示す図である。
【図６Ａ】寄生回路作用に起因する変化を有する共振系の周波数応答例を示す特性図である。
【図６Ｂ】寄生回路作用に起因する周波数応答の変化を補正するように計算された波形図を示している。
【図６Ｃ】図６Ｂに示した波形が入力電圧として使用された場合に得られる系の「平坦」な周波数応答を示す特性図である。
【図７Ａ】図７Ｂに示した加速電極に加えられる一定振幅の入力電圧を示す特性図である。
【図７Ｂ】電極間の距離が中心に向かって減じられている加速電極形状の例を示す図である。
【図７Ｃ】電極すき間における半径の関数としての電界強度を示す特性図であって、図７Ａに示した入力電圧を図７Ｂに示した電極形状へと加えることによって得られる安定かつ効率的な荷電粒子の加速を達成する望ましい電界強度の図を示している。
【図７Ｄ】所望される電界強度に直接相当しており、デジタル波形生成器を使用して生成することができる半径の関数としての入力電圧を示す特性図である。
【図７Ｅ】印加電圧と電界強度との間に直接の比例をもたらす加速電極の平行配置図を示している。
【図７Ｆ】電極すき間における半径の関数としての電界強度を示す特性図であって、図７Ｄに示した入力電圧を図７Ｅに示した電極形状へと加えることによって得られる安定かつ効率的な荷電粒子の加速を達成する望ましい電界強度の図を示している。
【図８Ａ】プログラマブル・波形生成器によって生成される加速電圧の波形例を示す信号波形図である。
【図８Ｂ】時間合わせされたイオン注入器信号の例を示す信号波形図である。
【図８Ｃ】時間合わせされたイオン注入器信号の他の例を示す信号波形図である。
【符号の説明】
【００５５】
２ａ  コイル
２ｂ  コイル
４ａ  金属磁極
４ｂ  金属磁極
６ａ  ヨーク
６ｂ  ヨーク
１０    ディー
１２    ディー  ダミー・ディー
１３  すき間
１８  イオン源
２２    抽出電極
２８  回転コンデンサ  可変コンデンサ
３００  シンクロサイクロトロン
３０４  ディー  ダミー・ディー
３０６  ディー
３１０  注入電極
３１２  イオン源
３１４  抽出電極
３１６  ビーム監視器
３１９  デジタル波形生成器
【図１Ａ】
2008507826.tif 000003
【図１Ｂ】
2008507826.tif 000004
【図２】
2008507826.tif 000005
【図３Ａ】
2008507826.tif 000006
【図３Ｂ】
2008507826.tif 000007
【図４】
2008507826.tif 000008
【図５Ａ】
2008507826.tif 000009
【図５Ｂ】
2008507826.tif 000010
【図６Ａ】
2008507826.tif 000011
【図６Ｂ】
2008507826.tif 000012
【図６Ｃ】
2008507826.tif 000013
【図７Ａ】
2008507826.tif 000014
【図７Ｂ】
2008507826.tif 000015
【図７Ｃ】
2008507826.tif 000016
【図７Ｄ】
2008507826.tif 000017
【図７Ｅ】
2008507826.tif 000018
【図７Ｆ】
2008507826.tif 000019
【図８Ａ】
2008507826.tif 000020
【図８Ｂ】
2008507826.tif 000021
【図８Ｃ】
2008507826.tif 000022
【国際調査報告】
2008507826.tif 000023
2008507826.tif 000024
2008507826.tif 000025
2008507826.tif 000026